(57)【要約】【課題】封筒と封緘された内容物との対応が確認でき、かつ内容物の秘密性が確保できる封入封緘装置を提供すること。【解決手段】印刷された内容物を封筒に封入し封緘する封入封緘装置２０において、吸水により透視化される封筒の所定箇所に水を塗布する水塗布部３０と、前記封筒に印刷されたコードと、前記水塗布部の水塗布により透視化された箇所を通して、前記封筒内に封入された内容物に印刷されたコードとを読取り、前記読取った２つのコードを照合する照合部３２と、を備える。【選択図】図１
2015217968.tif 000002
【特許請求の範囲】
【請求項１】
印刷された内容物を封筒に封入し封緘する封入封緘装置において、
吸水により透視化される封筒の所定箇所に水を塗布する水塗布部と、
前記封筒に印刷されたコードと、前記水塗布部の水塗布により透視化された箇所を通して、前記封筒内に封入された内容物に印刷されたコードとを読取り、前記読取った２つのコードを照合する照合部と、を備える
ことを特徴とする封入封緘装置。
【請求項２】
前記封筒の透視化された箇所を遮蔽する遮蔽部と、
前記照合部により前記２つのコードが一致するか否かを判断した後、前記遮蔽部に前記封筒の透視化された箇所の遮蔽を行わせる制御部と、を備える
ことを特徴とする請求項1に記載の封入封緘装置。
【請求項３】
印刷された封筒に印刷された用紙を封入封緘する封入封緘装置に主に用いられる封筒において、
前記封筒の少なくとも一部の範囲に設けられ、吸水により透視化して、前記封入される印刷された用紙の少なくとも一部を外部から視認可能にする透視化部と、を備える
ことを特徴とする封筒。
【発明の詳細な説明】
【技術分野】
【０００１】
本発明は、封筒に印刷物を封入封緘する封入封緘装置に関する。
【背景技術】
【０００２】
印刷装置で印刷された封筒と内容物を受け入れて、封筒への内容物の封入から封緘までを一貫して行う封入封緘装置が普及している。封入封緘装置を印刷装置に接続することで、印刷から封入封緘までが一括処理でき、手作業に比べて処理時間の大幅な短縮が実現される。
【０００３】
封筒の宛先と印刷物の内容は1対1で対応するジョブの場合には、封入封緘装置には間違った印刷物を封入しないことが要求される。例えば健康診断の結果通知のような場合である。そこで、封筒と封緘後の内容物を照合する照合装置が提案されている。例えば、封筒に設けられた開口窓から、内容物に印刷された識別用コードを検出して、封筒と封緘された内容物を照合する照合装置が提案されている（特許文献１）。
【先行技術文献】
【特許文献】
【０００４】
【特許文献１】特開２０１０−２０５０３６号公報
【発明の概要】
【発明が解決しようとする課題】
【０００５】
特許文献１のように開口部が設けられた封筒を使用することは、郵送時に開口部から内容物の一部が見えてしまい、内容物の秘密性を担保する観点からは、好ましくない。
本願発明は、上記課題に鑑み、封筒と封緘された内容物との対応が確認でき、かつ内容物の秘密性が確保できる封入封緘装置を提供することを目的とする。
【課題を解決するための手段】
【０００６】
上記目的を達成するために、
第１の発明は、印刷された内容物を封筒に封入し封緘する封入封緘装置において、吸水により透視化される封筒の所定箇所に水を塗布する水塗布部と、前記封筒に印刷されたコードと、前記水塗布部の水塗布により透視化された箇所を通して、前記封筒内に封入された内容物に印刷されたコードとを読取り、前記読取った２つのコードを照合する照合部と、を備える。
【０００７】
また、第２の発明は、第１の発明において、前記封筒の透視化された箇所を遮蔽する遮蔽部と、前記照合部により前記２つのコードが一致するか否かを判断した後、前記遮蔽部に前記封筒の透視化された箇所の遮蔽を行わせる制御部と、を備える。
【０００８】
また、第３の発明は、印刷された封筒に印刷された用紙を封入封緘する封入封緘装置に主に用いられる封筒において、前記封筒の少なくとも一部の範囲に設けられ、吸水により透視化して、前記封入される印刷された用紙の少なくとも一部を外部から視認可能にする透視化部と、を備える。
【発明の効果】
【０００９】
第１の発明によれば、封筒と封緘された内容物との対応が確認でき、かつ内容物の秘密性が確保できる封入封緘装置を提供することができる。
第２の発明によれば、照合後に水に濡れても内部が透視されるおそれがなくなり、秘密性がより確保される。
【００１０】
第３の発明によれば、封筒の少なくとも一部の範囲に、吸水することで封入される印刷された用紙の少なくとも一部を外部から視認可能にする透視化部を設けたことで、内容物の秘密性を確保することができる。
【図面の簡単な説明】
【００１１】
【図１】封入封緘装置と対応する印刷装置とからなる印刷システム１を模式的に示す図である。
【図２】印刷された封筒用紙を展開状態で示す図である。
【図３】印刷装置と封入封緘装置の本実施形態に関する機能構成を示すブロック図である。
【図４】印刷処理及び封入封緘処理の手順を説明するフローチャートである。
【図５】内容物用紙から内容物が形成される例を示す図である。
【図６】封緘された封筒１００ａが排出されるまでの状態を示す図である。
【図７】透視化層を透視シートとして、封筒用紙と別体にした例を示す図である。
【図８】透視化層が一部の範囲に設けられた封筒用紙の例を示す図である。
【発明を実施するための形態】
【００１２】
以下、図面に従って本発明の実施形態を説明する。図１は、本実施形態に係る封入封緘装置２０と、対応する印刷装置１０とからなる印刷システム１を模式的に示す図である。図１を用いて、封筒と内容物の印刷処理と、印刷された封筒に内容物を封入封緘する処理の主要な流れを説明する。
【００１３】
図１に示すように、印刷システム１は、封筒用紙１００及び内容物用紙２００に印刷を行う印刷装置１０と、この印刷装置１０に隣接して設けられる封入封緘装置２０との組み合わせからなる。
【００１４】
印刷装置１０は、封筒用紙１００及び内容物用紙２００に印刷を行い、印刷済みの封筒用紙１００及び印刷済みの内容物用紙２００を、封入封緘装置２０に送出する。封入封緘装置２０は、印刷済みの封筒用紙１００に印刷済みの内容物２００ａを重ねた状態で折り曲げて封筒を形成し、内容物２００ａを封入した状態で封筒１００ａを封緘して封書を作製する。
【００１５】
印刷装置１０は、給紙トレイ１１、搬送路１２、インクヘッド１３を有する。印刷装置１０は、本体左部に設けられた給紙トレイ１１ａに封筒用紙１００を格納し、本体左部の下側に上下方向に複数設けられた給紙トレイ１１ｂに内容物用紙２００を格納する。
【００１６】
搬送路１２は、封筒用紙１００及び内容物用紙２００を、各トレイからインクヘッド１３側へ搬送し、印刷された封筒用紙１００及び内容物用紙２００を封入封緘装置２０に送り出すものである。搬送路１２の各所には、図示は略すが、封筒用紙あるいは内容物用紙を挟持して搬送する給紙ローラが設けられる。各給紙ローラは、対応する給紙モータ（図示省略）の駆動により回転される。
【００１７】
インクヘッド１３は、ジョブに含まれる画像データ（内容物画像データ及び封筒画像データ）に基づいて封筒用紙１００及び内容物用紙２００に、インクを吐出して印刷を行うものである。インクヘッド１３は、例えば、ブラック、シアン、マゼンタ、イエローの各色のインクに分かれて設けられる。
【００１８】
給紙トレイ１１ａに積載された封筒用紙１００は、給紙搬送路１２ａにより印刷搬送路１２ｃに搬送される。印刷搬送路１２ｃは、不図示のプラテンベルトで構成される。プラテンベルトは、インクヘッド１３の直下に設けられ、用紙を吸引して、インクヘッド１３から吐出されたインクを受けながら吸引した用紙を一定速度で搬送する環状のベルトである。
【００１９】
給紙トレイ１１ｂに積載された内容物用紙２００は、給紙搬送路１２ｂにより、上方向に搬送された後にプラテンベルトまで搬送される。なお、封筒用紙１００と内容物用紙２００は、逆の給紙トレイに載置されてもよい。
【００２０】
インクヘッド１３を囲むように、封筒用紙１００及び内容物用紙２００を搬送するための環状のループ搬送路１２ｄが設けられる。ループ搬送路１２ｄの一部に、図示は省略するが、印刷用紙を表裏反転させてインクヘッド１３側へ搬送するためのスイッチバック搬送路、表裏反転時に用紙を一時的に収容するカセットが設けられる。
【００２１】
印刷装置１０内の右部には、印刷搬送路１２ｃから、印刷されて送り出された封筒用紙１００及び内容物用紙２００を封入封緘装置２０側（右方向）へ搬送するための連絡搬送路１２ｅが設けられる。連絡搬送路１２ｅの上流端部は、連絡用フラッパ（図示省略）の作動によって印刷搬送路１２ｃに接続、遮断可能になっている。
【００２２】
封入封緘装置２０は、封筒用紙１００及び内容物用紙２００を搬送する搬送路２２として、導入搬送路２２ａ、内容物用紙搬送路２２ｂ、封筒用紙搬送路２２ｃを有し、封緘された状態の封筒１００ａを搬送する封筒搬送路２２ｄを有す。各搬送路２２には、図示は略すが、封筒用紙１００及び内容物用紙２００を挟持して搬送する給紙ローラが設けられ、各給紙ローラは、対応する給紙モータ（図示省略）の駆動により回転される。なお、封入封緘装置２０では、封筒用紙１００及び内容物用紙２００は全て印刷済であるので、以下の説明では、印刷済みの封筒用紙１００や印刷済みの内容物用紙２００を、単に封筒用紙１００や内容物用紙２００と略す。
【００２３】
導入搬送路２２ａは、印刷装置１０で印刷され連絡搬送路１２ｅから送り出された封筒用紙１００及び内容物用紙２００を、封入封緘装置２０の各部へ搬送するための搬送路である。導入搬送路２２ａの上流端部は、連絡搬送路１２ｅの端部に接続される。
【００２４】
内容物用紙搬送路２２ｂは、導入搬送路２２ａに接続され、内容物用紙２００を内容物用紙２００処理用の各部に搬送する搬送路である。封筒用紙搬送路２２ｃは、導入搬送路２２ａに接続され、封筒用紙１００を封筒用紙１００処理用の各部に搬送する搬送路である。内容物用紙搬送路２２ｂ及び封筒用紙搬送路２２ｃは、それぞれの上流端部において、公知の封入封緘用フラッパの作動によって導入搬送路２２ａの下流端部に接続、遮断可能である。
【００２５】
封筒搬送路２２ｄは、内容物用紙２００を封入した状態の封筒１００ａを搬送する搬送路である。内容物用紙搬送路２２ｂの下流端側と封筒用紙搬送路２２ｃの下流端側は合流し、合流点に、封筒搬送路２２ｄが設けられる。封筒搬送路２２ｄは、封入封緘装置２０の右側面の上部に設けられた排出先まで延びている。
【００２６】
封入封緘装置２０は、整合部２３ａ、内容物形成部２３ｂ、前折り部２３ｃ、封筒形成部２３ｄ、封緘部２３ｅ及び排出部２３ｆを有する。整合部２３ａ〜封緘部２３ｅは、封筒用紙１００及び内容物用紙２００を加工するもので、これらをまとめて加工部２３とも呼ぶ。
【００２７】
整合部２３ａは、内容物用紙搬送路２２ｂの途中に設けられ、導入搬送路２２ａから送り出された複数枚の内容物用紙２００を集積して整合するものである。また、整合部２３ａは、複数枚の内容物用紙２００を待機させる整合ゲート（不図示）を備えており、この整合ゲートは、内容物用紙搬送路２２ｂを開状態と閉状態に切り替え可能になっている。
【００２８】
内容物形成部２３ｂは、内容物用紙搬送路２２ｂにおける整合部２３ａの出口側（下流側）に設けられ、整合部２３ａから送り出された整合済みの複数枚の内容物用紙２００を折り曲げて内容物２００ａを形成するものである。内容物形成部２３ｂは、内容物用紙２００を所定の位置で折り曲げるために、主折りローラ、導入ローラ、ガイド板、突当て部材等を有する。
【００２９】
前折り部２３ｃは、内容物用紙搬送路２２ｂと封筒用紙搬送路２２ｃの合流部に設けられ、封筒用紙搬送路２２ｃから送り出された封筒用紙１００の前折りを行うものである。前折り部２３ｃは、封筒の前折りをするための複数のローラを有する。前折り部２３ｃの下流側には、内容物用紙２００が封入された封筒用紙１００を送り出す搬送ローラが設けられ、内容物用紙２００が封入された封筒用紙１００が封筒形成部２３ｄ側へ送り出される。
【００３０】
封筒形成部２３ｄは、前折り部２３ｃの下流側に設けられ、前折り部２３ｃから送り出された、内容物用紙２００が封入された封筒用紙１００を折り曲げて封筒１００ａを形成するものである。封筒形成部２３ｄは、封筒用紙１００を折り曲げるための、複数のローラを有する。
【００３１】
封緘部２３ｅは、封筒搬送路２２ｄの途中に設けられ、封筒形成部２３ｄから送り出された封筒１００ａを封緘するものである。封緘部２３ｅは、封筒１００ａを挟持して、封筒用紙１００に予め塗布した感圧接着剤によって封緘する封緘ローラ対を備える。
【００３２】
排出部２３ｆは、封筒搬送路２２ｄの下流側に設けられ、正常に封緘され、封筒搬送路２２ｄから送り出された封筒１００ａを排出するものである。
また、封入封緘装置２０は、封緘した封筒１００ａとその内容物２００ａとの照合を行うため、水塗布部３０、照合部３２及びスタンプ部３４を有する。そのため、封入封緘装置２０では、以下で説明するような、水塗布により透視化する素材からなる封筒用紙１００を使用する。
【００３３】
水塗布により透視化可能となる素材についてを説明する。水塗布により透明化するシートは、いろいろ知られている。例えば、特開平１１−１９８２７１号公報によれば、水塗布により透明化するシートについて、以下の内容が開示されている。「支持体上に低屈折率顔料を含有する多孔質層を設け、前記多孔質層に液体を吸液させることにより透明化して、下層の色調を現出させる加工紙やシートが開示されている（特公昭５０−５０９７号公報、特公平５−１５３８９号公報等）。前記した加工紙やシートは、乾燥状態（非吸液状態）においては多孔質層により下層が隠蔽され、前記多孔質層に水等の液体を吸液させると透明化して下層の色調を視認できる。低屈折率顔料を含有する多孔質層は、常態、即ち、乾燥状態では隠蔽性を有して白色を呈し、水等の液体を吸液した状態では透明又は半透明化して下層の色調を顕出させる。前記低屈折率顔料としては、微粒子状珪酸、バライト粉、沈降性硫酸バリウム、炭酸バリウム、沈降性炭酸カルシウム、石膏、クレー、タルク、アルミナホワイト、塩基性炭酸マグネシウム等、屈折率が１．４〜１．７の範囲にあるものが一般的に用いられる。」また、特開２０１２−２０６４９１号公報には、水塗布により透明化する材料を利用した水筆用紙についてが開示されている。
【００３４】
本実施形態では、上記の例えば多孔質層からなる低屈折率顔料が予め表面に形成された封筒を利用する。
水塗布部３０は、封緘部２３ｅの下流側に設けられ、封筒１００ａの予め定めた箇所に水を塗布するものである。水塗布部３０は、水が貯留された水貯留容器、水塗布パッドを有する。水貯留容器に貯留した水内には、水塗布部材の一例として水塗布パッドが浸漬されており、この水塗布パッドは「くの字状」に屈曲し、上方の一端部側が封筒１００ａへの水塗布部位となり、他端側が水内に浸漬されている。水塗布パッド（水塗布部材）は、連続多孔質構造に形成されたスポンジを用いて水貯留容器の水を毛細管現象により吸い上げて、搬送されてきた封筒１００ａに水を自動的に塗布する。水塗布パッド（水塗布部材）は、内容物２００ａに印刷された内容物照合コードＲ２の位置に対応する封筒１００ａの位置に接触する。尚、水塗布パッドは、スポンジ以外で不織布などを用いても良い。
【００３５】
照合部３２は、排出部２３ｆの手前に設けられ、封筒１００ａの封筒照合コードＲ１と、水塗布部３０の水塗布により透視化された箇所を通して、内容物２００ａの内容物照合コードＲ２を読取り、読取った２つのコードを照合するものである。コードは例えば一次元あるいは二次元バーコードで、照合部３２は、読取りセンサとして、バーコード読取部を有する。
【００３６】
照合部３２は、封筒１００ａに印刷された封筒照合コードＲ１は直接的に読取り、内容物に印刷された内容物照合コードＲ２については、水塗布により封筒１００ａの透視化された箇所を通じて読取る。なお、照合部３２は、封筒照合コードＲ１と内容物照合コードＲ２の読取センサを別々に備えてもよいし、１つの読取センサの位置を移動させて、２つのコードを読取るようにしてもよい。
【００３７】
スタンプ部３４は、照合部３２の更に下流に設けられ、水塗布により封筒１００ａの透視化された箇所に、スタンプを捺印するものである。透視化された箇所は乾燥後は不透視に戻るが、再度水塗布（あるいは加湿）すれば透明化して内容物の一部が外部から視認できるようになるため、それを防止するためである。スタンプ部３４は、透視化された箇所を遮蔽するので、遮蔽部とも呼ぶ。スタンプは、内部のコードが見えなくなる程度の濃さの印刷であればよい。
【００３８】
図２は、印刷された封筒用紙１００を展開状態で示す図である。図の左側が封筒形成後に、封筒１００ａの外側となる表面１００ｆを示す図である。図の右側が封筒形成後に封筒１００ａの内側となる裏面１００ｇを示す図である。破線で示す水平方向の２本の線は、封筒形成時に折り曲げ線を示す。また、封筒用紙１００の断面をＡＡ断面として示す。また、ＡＡ断面には、封筒１００ａの内部に封入される内容物２００ａの位置を破線で示す。
【００３９】
封筒用紙１００は、透明でかつ耐水性に優れた素材を基材１０２とする。基材１０２は、例えば１０μ〜１００μ厚のポリエステルシートである。基材１０２の表面１００ｆ側の全体に渡って、透視化層１０４が設けられる（ＡＡ断面参照）。透視化層１０４は、内容物２００ａの内容物照合コードＲ２を透視化させるための層である。透視化層１０４は、前述のように、例えば、低屈折率顔料からなる。透視範囲１０４ａは、内容物照合コードＲ２を透視化するための範囲である。
【００４０】
透視化層１０４は、内容物照合コードＲ２を透視化するための透視範囲１０４ａをカバーする範囲に設けられる必要があるが、本例のように、表面１００ｆ全体に設けられてもよい。透視化層１０４が用紙全体に設けられた封筒用紙１００であれば、封筒１００ａに対する内容物照合コードＲ２の位置をジョブに応じて任意に設定できるので、このような封筒用紙１００であれば、汎用的に使用することができるからである。
【００４１】
そして、透視化層１０４が封筒用紙１００全体に設けられている場合には、封筒１００ａの基材１０２も透明であるので、封筒１００ａが本人に届けられるまでの間で、透視範囲１０４ａ以外の部分が濡れると、内容物２００ａの一部が透けて見えてしまうおそれがある。そのため、基材１０２の裏面１００ｇ側には、透視防止層１１８が設けられる（ＡＡ断面参照）。透視防止層１１８を設けたことにより、透視範囲１０４ａ以外の範囲での透視を防止して、内容物２００ａの秘密性を確保することができる。
【００４２】
透視範囲１０４ａの外側を囲む範囲（破線）は、透視防止層１１８の除外範囲１１８ａである。除外範囲１１８ａは、透視範囲１０４ａを含む、より広い範囲に設定される。透視防止層１１８は、印刷装置１０により所定の色やパターンを印刷することで設けられる。また、印刷の代わりに、遮光紙を貼り付けてもよい。
【００４３】
表面１００ｆには、印刷装置１０により、住所や氏名や番号等が印刷され、また、一部に封筒照合コードＲ１が印刷される。封筒照合コードＲ１は、相手先を特定するコードで、例えば一次元あるいは二次元のバーコードである。
【００４４】
水塗布パッドにより水塗布されて透視化される透視範囲１０４ａは、封筒１００ａ内で内容物２００ａの位置が変動しても、内容物照合コードＲ２全体が常に含まれるように、余裕を持ったサイズに設定される。
【００４５】
図３は、印刷装置１０と封入封緘装置２０の本実施形態に関する機能構成を示すブロック図である。印刷装置１０は、操作部１５、印刷制御部１６及び印刷構造部１７を有する。操作部１５は、印刷や封筒の印刷や封緘の条件（枚数、仕様等）を指示するもので、ボタンあるいはタッチパネルである。操作部１５は入力された操作内容を印刷制御部１６や封入封緘装置２０に通知する。
【００４６】
印刷制御部１６は、印刷装置１０全体を制御する制御部である。印刷制御部１６は、印刷装置１０に備えられるＣＰＵが記憶部に記憶された制御プログラムを読込んで実現する処理機能である。印刷構造部１７は、封筒用紙１００や内容物用紙２００を搬送して印刷を行うもので、図１で説明した給紙トレイ１１、搬送路１２やインクヘッド１３等を含む。印刷構造部１７は、印刷制御部１６からの制御により、封筒用紙１００や内容物用紙２００を搬送して所定の位置に指定された情報を印刷する。
【００４７】
封入封緘装置２０は、加工部２３、搬送部２４、水塗布部３０、照合部３２、スタンプ部３４、封入封緘制御部４０を有する。搬送部２４は、封筒用紙１００や内容物用紙２００を各所に搬送するためのもので、上述した導入搬送路２２ａ等の各搬送路２２、各搬送路２２に設けられた搬送ローラを駆動する駆動モータ、用紙の有無を検出するセンサ及び整合ゲート等を有する。
【００４８】
加工部２３は、整合部２３ａ〜封緘部２３ｅの各部にて、封筒用紙１００や内容物用紙２００の整合や形成を行うローラを駆動する駆動モータや用紙の有無を検出するセンサ等を有する。
【００４９】
封入封緘制御部４０は、封入封緘装置２０全体を制御する制御部である。封入封緘制御部４０は、封入封緘装置２０に備えられるＣＰＵが、記憶部に格納された制御プログラムを読込んで実行する処理機能である。封入封緘制御部４０は、加工部２３及び搬送部２４を制御して封入封緘処理を実行すると共に、水塗布部３０、照合部３２及びスタンプ部３４を制御して照合処理やスタンプ（遮蔽）処理を行う。
【００５０】
詳しくは、封入封緘制御部４０は、照合部３２により読取られた内容物２００ａに印刷されたコード及び封筒１００ａに印刷されたコードを照合して、２つのコードが一致した場合にはスタンプ部３４に封筒の透視箇所に遮蔽処理を行わせ、２つのコードが一致しない場合にはスタンプ部３４に遮蔽処理を行わせないようを制御する。
【００５１】
また、封入封緘制御部４０は、操作部１５からの指示により封入封緘に関する条件を設定する。封入封緘制御部４０は、印刷制御部１６とも接続され、印刷制御部１６から用紙搬送に関するデータの通知等を受ける。
【００５２】
図４は、印刷処理及び封入封緘処理の手順を説明するフローチャートである。印刷処理は印刷制御部１６によって実行され、封入封緘処理は封入封緘制御部４０によって実行される。
【００５３】
印刷制御部１６は、操作部１５へ指示された内容に従って、封筒用紙１００及び内容物用紙２００への印刷処理を実行する（ステップＳ１０）。封筒用紙１００及び内容物用紙２００に、所定の内容が印刷される。また、封筒用紙１００の所定位置に封筒照合コードＲ１が印刷され、内容物用紙２００の所定位置に内容物照合コードＲ２が印刷される。図２に示したように、封筒用紙１００の裏面の所定範囲には、透視防止層１１８として、所定の色のパターンが印刷される。
【００５４】
印刷制御部１６は、印刷が終了した封筒用紙１００及び内容物用紙２００を、封入封緘装置２０に搬送する（ステップＳ１２）。
封入封緘装置２０の封入封緘制御部４０は、封入封緘処理を行う（ステップＳ１４）。封入封緘制御部４０は、整合部２３ａにより内容物用紙２００の整合を行い、整合された内容物用紙２００を内容物形成部２３ｂにより折り曲げて内容物２００ａを形成する。
【００５５】
図５は、内容物用紙２００から内容物２００ａが形成される例を示す図である。内容物用紙２００が２枚の例を示すが、用紙の枚数に特に制限はない。１枚目と２枚目の内容物用紙２００は、それぞれ表裏に所定の内容が印刷されている。１枚目の内容物用紙２００の裏面の左下には、内容物照合コードＲ２が印刷される。破線は、折り曲げ位置を示す。
【００５６】
内容物形成部２３ｂは、１枚目と２枚目の内容物用紙２００を重ねた状態で３つ折りして、内容物２００ａを形成する（図５の下）。内容物形成部２３ｂは、その際に、内容物照合コードＲ２が外側に露出するような向きで内容物用紙２００を折り曲げる。
【００５７】
封入封緘制御部４０は、前折り部２３ｃにより封筒用紙１００の前折りを行い、前折りされた封筒用紙１００に形成された内容物２００ａを封入して封筒形成部２３ｄにより封筒１００ａを形成する。封入封緘制御部４０は、封緘部２３ｅにより封筒１００ａを封緘する。
【００５８】
図６は、封緘された封筒１００ａが排出されるまでの状態を示す図である。図６を参照しながら、以下の処理を説明する。図６Ａは、封緘された状態の封筒１００ａを示す図である。封筒照合コードＲ１が印刷された面を上にしてある。内容物２００ａが封筒１００ａの内部に封入されているため、内容物２００ａの内容物照合コードＲ２は、外からは見えない状態である。
【００５９】
封入封緘制御部４０は、封筒１００ａを水塗布部３０に搬送して、封筒１００ａの内容物照合コードＲ２に対応する範囲（透視範囲１０４ａ）に水塗布部３０により水を塗布する（ステップＳ１６）。図６Ｂは、水が塗布されて内容物照合コードＲ２に対応する封筒１００ａの透視範囲１０４ａが透視化し、内部の内容物照合コードＲ２が外部から視認可能となった状態である。
【００６０】
封入封緘制御部４０は、内容物照合コードＲ２が透視可能となった封筒１００ａを、照合部３２に搬送する。照合部３２は、内容物照合コードＲ２及び封筒照合コードＲ１を照合センサで読取り、読み取った内容物照合コードＲ２と封筒照合コードＲ１を照合する（ステップＳ１８）。照合部３２は、照合結果を封入封緘制御部４０に通知する。
【００６１】
封入封緘制御部４０は、２つの照合コードが一致するかを判断する（ステップＳ２０）。封入封緘制御部４０は、照合コードが一致すると判断すると（ステップＳ２０Ｙｅｓ）、スタンプ部３４により、封筒１００ａの透視範囲１０４ａに、スタンプを捺印する（ステップＳ２２）。図６Ｃは、スタンプ印３４ａが捺印された封筒１００ａを示す図である。透視範囲１０４ａにスタンプ印３４ａが捺印されることで、以降、水が塗布されても内容物２００ａが外部からみられるおそれがなくなる。封入封緘制御部４０は、スタンプの捺印後、封筒１００ａを排出部２３ｆから排出する（ステップＳ２４）。
【００６２】
一方、封入封緘制御部４０は、照合コードが一致しないと判断すると（ステップＳ２０Ｎｏ）、スタンプを捺印することなく、封筒１００ａを排出部２３ｆから排出する（ステップＳ２４）。作業者は、封筒と内容物が不一致の可能性のある封書を、スタンプの有無によって簡単に区別することができる。なお、封入封緘制御部４０は、照合コードの一致・不一致に関わらず、封筒１００ａの透視範囲１０４ａに、スタンプを捺印するようにしてもよい。
【００６３】
図６Ｄは、封筒１００ａの内側に設けられた透視防止層１１８の範囲を示す図である。透視化層１０４全体は、内側の透視防止層１１８にカバーされるので、発送中に雨で濡れた場合でも、内容物２００ａが覗かれるおそれがない。
【００６４】
また、使用する封筒用紙として、図２で紹介した、表面全体に透視化層１０４を形成した封筒用紙１００に限るものではない。以下に他の例を示す。
図７は、透視化層を透視シートとして、封筒用紙１００と別体にした例を示す図である。図７の上図が封筒用紙１００の表面で、下図が断面図である。封筒用紙１００の基材１０２ｂは、不透明なシート例えば紙材である。基材１０２ｂには、透視範囲に相当する位置に、開口１０２ｂ１が設けられる。透視範囲は、内容物照合コードＲ２に対向する位置に設けられる。透視シート１０５は、上述した低屈折率顔料からなるシートあるいは、透明基板に低屈折率顔料が形成されたシートである。
【００６５】
透視シート１０５が、封筒用紙１００の開口１０２ｂ１を塞ぐように、基材１０２ｂに貼付される。透視シート１０５が、透明基板に低屈折率顔料が形成されたシートの場合には、低屈折率顔料が形成された面を上にして、基材１０２ｂに貼付される。以上のような透視シート１０５が貼付された用紙を、封筒用紙１００として使用する。
【００６６】
図７の例では、基材１０２ｂが不透明で、透視される範囲も局部的なので、透視防止層が不要となる。また、封筒用紙１００として普通の紙が利用でき、印刷も容易になる。
図８は、透視化層が一部の範囲に設けられた封筒用紙１００の例を示す図である。透視化層１０４は、透視範囲１０４ａを含む一部の範囲で、透明な基材１０２の表面に設けられる。基材１０２が透明であるため、透視防止層１１８は、基材１０２の裏面全体に印刷される。透視化層１０４の範囲を一部分に限定することにより、透視化層１０４への印刷を回避できるので、透視化層１０４専用の印刷条件設定が不要になる。
【００６７】
以上説明した実施形態により少なくとも奏せられる効果を、以下に記す。
封緘後に、封筒の照合コードと内容物の照合コードを対比して、封筒と内容物の照合を行うので、間違った内容物の発送を未然に防止することができる。
【００６８】
そして、封筒に設けられた内容物の照合コードを検出する窓に、吸水により透視化される透視化層を利用したことにより、透視化した範囲が照合後に乾燥して自然に不透明化するので、簡単に秘密性を保証することができる。
【００６９】
また、吸水によって、内容物の一部を外部から視認可能にする透視化層が設けられた封筒用紙も、本実施形態の特徴である。このような封筒用紙であれば、封筒と封緘された内容物との対応が確認でき、かつ内容物の秘密性が確保できる。
【００７０】
さらに、透視化した範囲を、照合後にスタンプを捺印することで、以降水に濡れても内部が透視されるおそれがなくなり、秘密性がより確保される。
図２に示すような透視化層が用紙表面全体に設けられた封筒用紙は、内容物照合コードが内容物のいずれの位置に印刷されていてもよいので、内容物の種類に係わらず、汎用的に使用することができる。
【００７１】
図７に示すようなシート化された透視化層を貼付した封筒用紙は、封筒用紙の材料として通常の用紙を使用できるので、印刷も容易になり、また透視防止層が不要になる。
また、上記実施形態では以下の変形が可能である。
【００７２】
スタンプ部３４に代えてシール部を備えて、スタンプの捺印の代わりに、透視範囲１０４ａにシールを貼付するようにしてもよい。
水塗布部３０による封筒への水塗布のタイミングは、内容物２００ａが封入される前であってもよい。
【００７３】
封緘後にコードの照合を行うと説明したが、封緘前にコードの照合を行って、コードが一致した封筒のみ、封緘を行うようにしてもよい。
２つ照合コードが封筒の同じ面ではなく、違う面にあってもよい。
【００７４】
印刷制御部１６や封入封緘制御部４０は、制御プログラムを読込んだＣＰＵによるソフトウェア処理により実現されると説明したが、一部あるいは全部をハードウェアで構成するようにしてもよい。
【００７５】
なお、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００７６】
１    印刷システム
１０    印刷装置
１１    給紙トレイ
１２、２２    搬送路
１３    インクヘッド
１５    操作部
１６    印刷制御部
１７    印刷構造部
２０    封入封緘装置
２３    加工部
２４    搬送部
３０    水塗布部
３２    照合部
３４    スタンプ部
４０    封入封緘制御部
１００    封筒用紙
１００ａ  封筒
１０２    基材
１０４    透視化層
１０４ａ  透視範囲
１０５    透視シート
１１８    透視防止層
１１８ａ  透視防止範囲
２００    内容物用紙
２００ａ  内容物
【図３】
2015217968.tif 000003
【図４】
2015217968.tif 000004
【図１】
2015217968.tif 000005
【図２】
2015217968.tif 000006
【図５】
2015217968.tif 000007
【図６】
2015217968.tif 000008
【図７】
2015217968.tif 000009
【図８】
2015217968.tif 000010